(57)【特許請求の範囲】
【請求項１】
利用者が選択した配信情報を利用者の携帯電話に配信する情報配信システムであって、
利用者のパーソナルコンピュータとの間でインターネット通信を行う通信手段と、
利用者の端末を認証するためのパスワード、前記配信情報の配信先となる利用者の携帯電話に関する情報、及び前記配信情報の課金の決済方法を記憶する記憶手段と、
前記携帯電話に関する情報、及び前記決済方法の当該携帯電話による登録を受け付ける受付手段と、
インターネット通信を介して接続する利用者のパーソナルコンピュータからパスワードを受信する受信手段と、
インターネット通信を介して接続する利用者のパーソナルコンピュータに、複数の配信情報が含まれたコンテンツを送信する送信手段と、
利用者のパーソナルコンピュータが認証されている場合には、利用者による配信情報の選択に基づいて、前記記憶した利用者の携帯電話に、利用者が選択した配信情報を配信する配信手段と、
前記記憶手段が記憶する前記課金の決済方法にもとづいて、利用者に対して課金支払い要求を行う業者に前記課金の情報を伝達する伝達手段と、
を備え、
前記配信手段によって配信された配信情報は、前記携帯電話において当該配信に関する報知が行われたとき、利用者が所定の処理を行うと、当該携帯電話に受信されることを特徴とする情報配信システム。
【発明の詳細な説明】
【技術分野】
【０００１】
この発明は情報配信システムに関し、特にたとえばインターネットを利用し、音楽情報やゲームプログラムなどの各種プログラムを携帯電話にダウンロードする際に利用できる、新規な情報配信システムに関する。
【背景技術】
【０００２】
従来、携帯電話にキャラクタ画像や音楽データ等の情報をダウンロードする際は、前記情報をダウンロードできる情報通信システムに、利用者が携帯電話によって接続して、情報要求の操作を行うことが一般的であった。
【先行技術文献】
【特許文献】
【０００３】
【特許文献１】特開２０００−２４２６６３号公報
【発明の概要】
【発明が解決しようとする課題】
【０００４】
しかしながら、携帯電話を使って情報配信の要求をする方法は、欲しいコンテンツに到達するまでに多くの煩雑な操作を必要するのが現状であり、このような操作を携帯電話の限られた画面サイズと操作キーで操作することは、慣れない者はもとより、慣れた者にとっても煩雑で、時間の掛かる操作であった。
【０００５】
また、情報配信を要求する一連の操作中は、ずっと携帯電話が通信状態となっているため、長時間の操作に要する通信費用の負担増も問題となっていた。
【０００６】
それゆえに、この発明の主たる目的は、新規な、情報配信システムを提供することである。
【０００７】
この発明の他の目的は、利用者が簡単にコンテンツを携帯電話にダウンロードできる、情報配信システムを提供することである。
【０００８】
この発明の他の目的は、利用者がコンテンツのダウンロードに要する通信費用を大幅に低減することができる、情報配信システムを提供することである。
【課題を解決するための手段】
【０００９】
この発明に従った情報配信システムは、利用者が選択したコンテンツ情報を利用者の携帯電話に配信する情報配信システムであって、利用者の端末装置との間で通信を行う通信手段と、利用者に配信するコンテンツ、該コンテンツを選択するための選択情報および前記コンテンツの配信先となる利用者の携帯電話番号を記憶する記憶手段と、ネットワークを介して接続する利用者の端末装置に、前記コンテンツの選択情報を送信する手段と、利用者によるコンテンツの選択に基づいて、前記記憶した利用者の携帯電話番号に、利用者が選択したコンテンツを配信する手段と、を備えた情報配信システムである。
【００１０】
この発明に従った情報配信方法は、利用者が選択したコンテンツ情報を利用者の携帯電話に配信する情報配信方法であって、利用者の端末装置との間で通信を行う通信手段と利用者に配信するコンテンツ、該コンテンツを選択するための選択情報および前記コンテンツの配信先となる利用者の携帯電話番号を記憶する記憶手段とを備え、ネットワークを介して接続する利用者の端末装置に、前記コンテンツの選択情報を送信し、利用者によるコ
ンテンツの選択に基づいて、前記記憶した利用者の携帯電話番号に利用者が選択したコンテンツを配信する情報配信方法である。
【発明の効果】
【００１１】
この発明によれば、利用者は、携帯電話から煩雑な操作によるコンテンツのダウンロードをしなくても良いので、利用者にとって利便性の高いシステムとすることができる。
【００１２】
また、通信料金の削減にもなるため、利用者の経済的負担を軽減できる。
【００１３】
つまり、従来のシステムよりすぐれた情報配信システムを構築できる、これにより、従来の方法以上に利用者の支持を集めることができ、通信事業者と、コンテンツ配信事業者がタイアップしたビジネス展開が期待できる。
【図面の簡単な説明】
【００１４】
【図１】この発明の情報配信システムの全体構成を示す図解図である。
【図２】図１システムの動作を示すフロー図である。
【図３】図１システムにおける利用者情報記憶部４４の記憶データを示す図解図である。
【発明を実施するための形態】
【００１５】
この発明に従った情報配信システムでは、携帯電話への情報配信の要求を、携帯電話から直接要求することなく、利用者が使い易い任意の端末装置を使って情報配信の要求を行い、要求したコンテンツを利用者の携帯電話に配信するシステムとすることで、操作性に劣った携帯電話を使った情報配信要求の設定の煩雑さを解消することができ、さらに、通信費用を削減することができる。
【００１６】
この発明の上述の目的，その他の目的，特徴および利点は、図面を参照して行う以下の実施例の詳細な説明から一層明らかとなろう。
【００１７】
＜実施例＞
本発明の一実施例を示す。図１は本発明の情報配信システム４０の全体構成を示した図である。
【００１８】
情報配信システム４０は、コンテンツ配信サーバ４１と、音楽データやゲームプログラムなどの各種プログラムを記憶したコンテンツ情報記憶部４２と、前記コンテンツを選択するために利用者に提供するメニュー情報を記憶するコンテンツ選択情報記憶部４３と、利用者に関する情報を記憶した利用者情報記憶部４４とを備える。
【００１９】
前記利用者情報記憶部４４には、利用者の氏名、住所、決済方法、認証に使用する暗証番号などの基本情報の他に、利用者が選択したコンテンツ情報の配信先となる利用者の携帯電話の電話番号が記憶されている。
【００２０】
図３は、利用者情報記憶部４４の記憶内容を模式的に記載した図である。図では、利用者についての、氏名、住所、決済方法、暗証番号、配信履歴情報に加えて、コンテンツ情報の配信先となる利用者の携帯電話の電話番号が記憶されている。配信先の携帯電話番号は、利用者が予め登録することにより記憶されるが、その後いつでも変更することができる。
【００２１】
また、決済方法は、配信先の携帯電話の電話料金に加算する方法と、クレジット決済を選択できる。配信先の電話料金に加算する方法を選択した場合には、コンテンツ配信サー
バ４１は、コンテンツ配信による利用者に対する課金情報を通信事業者に送信して、通信事業者に料金回収の代行を依頼する。他方、クレジット決済の場合には、コンテンツ配信サーバ４１からクレジット業者に利用者の課金情報を送信して、料金回収を依頼する。
【００２２】
情報配信システム４０は、インターネットプロバイダ１４ｃを介して、インターネット３０に接続されている。
【００２３】
１０ａは利用者Ａ宅の利用者端末装置を示しており、図のとおり大型のディスプレイの有したデスクトップタイプのパソコンである。利用者端末装置は、モデム１２ａにより、インターネットプロバイダ１４ａを介してインターネット３０に接続されている。１１ａは、利用者Ａの携帯電話を示しており、この実施例では、利用者Ａは、この携帯電話１１ａの電話番号をコンテンツの配信先として利用者情報記憶部４４に登録している。
【００２４】
１０ｂは他の利用者の端末装置である。このように利用者の端末装置は、必ずしもデスクトップタイプやラップトップタイプのパソコンである必要はなく、十分な情報表示と操作性が確保されていれば、パームトップタイプのパソコンであってもよい。１２ｂはモデムであり、１４ｂはインターネットプロバイダを示している。
【００２５】
また、１１ｂは他の利用者の携帯電話を示している。２０ａ,２０ｂは移動体通信網を
示しており、２１ａ,２１ｂは通信事業者の通信設備を示している。
【００２６】
次に利用者が情報配信システムを利用してコンテンツをダウンロードする方法を図２のフローチャートに従って説明する。
【００２７】
情報配信システムを利用するには、その前提として、利用者はコンテンツ配信サーバ４１に利用者登録をしなければならない。
【００２８】
利用者登録は、インターネットを介して、情報配信システム４０のホームページにアクセスして、登録を行う。登録された情報は、上記した利用者情報記憶部４４に記憶される。
【００２９】
利用者Ａが自己の利用者端末装置１０ａから情報配信システム４０にアクセスしてコンテンツの情報配信要求を行うと（Ｓ（ステップ）１０１））、情報配信システム４０は、利用者Ａの認証を行う（Ｓ４０１）、認証がＯＫであれば（Ｓ４０２）、コンテンツのメニューを選択情報記憶部４３より読み出して利用者端末装置１０ａに送信する（Ｓ４０３）。もし、認証がＮＧであれば、不正アクセスとして終了する。
【００３０】
利用者Ａは、情報配信システムより送られてきたコンテンツのメニューが利用者端末装置１０ａの画面上に表示されるので、この中から、所望のコンテンツを１つ乃至複数選択し、選択したコンテンツ情報を情報配信システム４０に送信する（Ｓ１０２）。
【００３１】
情報配信システム４０はコンテンツの選択が行われると（Ｓ４０４）、利用者情報記憶部４４を検索して、コンテンツの配信先である宛先情報、すなわち、利用者Ａの携帯電話１１ａの電話番号を読み出し（Ｓ４０５）、前記選択されたコンテンツ情報をコンテンツ情報記憶部４２より読出し、前記携帯電話１１ａに配信する。
【００３２】
通信事業者２１ａは、宛先情報である電話番号に基づいて、利用者Ａの携帯電話１１ａを呼び出し、応答した利用者Ａの携帯電話１１ａにコンテンツを送信し（Ｓ２０１）、利用者Ａは、送信されるコンテンツ情報を携帯電話１１ａで受信する（Ｓ１１１）。
【００３３】
情報配信システム４０は、コンテンツ配信に対する課金を行うために、コンテンツ配信と同時か、又は、月末などの適当に時期に、利用者Ａの決済方法を検索する（Ｓ４０７）。
【００３４】
利用者Ａの決済方法が、配信先の携帯電話の電話料金に加算して支払う電話番号決済の場合は、利用者Ａに対する課金情報を通信事業者に送信する（Ｓ４０８）。
【００３５】
通信事業者は、利用者Ａの通話料金に、受信したコンテンツの課金情報を加算して、利用者Ａに支払要求を行う（Ｓ２０２）。
【００３６】
利用者Ａは、通信事業者から請求された料金を支払い、通信事業者は、情報配信システムの事業者に、料金の分配を行う。
【００３７】
尚、利用者Ａがクレジット決済を指定していた場合には、課金情報をクレジット業者に送り、代金回収を依頼する（Ｓ４０９）。
【００３８】
上記本実施例では、情報配信システムの事業者と通信事業者を異なる事業者として記載したが、情報配信システムの事業を通信事業者が兼用する構成であってもよいことは言うまでもなく、本発明の主旨を変えない範囲で、本発明の構成を変更して実施することは可能である。
【符号の説明】
【００３９】
１０ａ  利用者端末装置
１１ａ  携帯電話
１２ａ  モデム
１４ａ  プロバイダ
２０ａ  移動体通信網
２１ａ  通信事業者の通信設備
３０    インターネット
４０    情報配信システム
４１    コンテンツ配信サーバ
４２    コンテンツ情報記憶部
４３    コンテンツ選択情報記憶部
４４    利用者情報記憶部
【図１】
0005419914.tif 000002
【図２】
0005419914.tif 000003
【図３】
0005419914.tif 000004